(57)【要約】【課題】テレビ受像機から送信される複数の音声のそれぞれを複数人で視聴する。【解決手段】映像を表示する映像表示部と音声を出力する音声出力部とを備えるテレビ受像機と、テレビ受像機と無線ネットワークを介して接続されるヘッドホン２とを備えるテレビ放送視聴システムにおいて、テレビ受像機は、音声出力部から出力され、音声多重放送により放送される主音声及び副音声を含む複数の音声が混在した混合音声を送信する無線通信部を備え、ヘッドホンは、混合音声を受信する無線通信部２１と、受信された混合音声を出力する音声出力部２４と、音声出力部から出力される混合音声のうち、所定の音声を選択する操作部２５とを備えている。【選択図】図３
2008167187.tif 000002
【特許請求の範囲】
【請求項１】
映像を表示する表示部と音声を出力するテレビ側音出力部とを備えるテレビ受像機と、前記テレビ受像機と無線通信回線を介して接続される少なくとも一の音声受信装置とを備えるテレビ放送視聴システムにおいて、
前記テレビ受像機は、
前記テレビ側音出力部から出力される複数の音声が混在した混合音声を送信する混合音送信手段を備え、
前記音声受信装置は、
前記混合音送信手段から送信される前記混合音声を受信する混合音受信手段と、
前記混合音受信手段により受信された前記混合音声を出力する受信装置側音出力部と、
前記受信装置側音出力部から出力される前記混合音声のうち、所定の音声を選択する混合音選択操作手段とを備え、
前記混合音声は、音声多重放送により放送される主音声及び副音声を含み、
前記テレビ受像機は、さらに、
前記テレビ側音出力部からのみ音声を出力する第１の音声出力モードと、前記混合音送信手段からのみ音声を送信する第２の音声出力モードと、前記テレビ側音出力部からの音声の出力及び前記混合音送信手段からの音声の送信を行う第３の音声出力モードとを具備し、
前記第１の音声出力モード、前記第２の音声出力モード及び前記第３の音声出力モードの中で何れかの音声出力モードに切替えるモード切替手段を備えることを特徴とするテレビ放送視聴システム。
【請求項２】
映像を表示する表示部と音声を出力するテレビ側音出力部とを備えるテレビ受像機と、前記テレビ受像機と無線通信回線を介して接続される少なくとも一の音声受信装置とを備えるテレビ放送視聴システムにおいて、
前記テレビ受像機は、
前記テレビ側音出力部から出力される複数の音声が混在した混合音声を送信する混合音送信手段を備え、
前記音声受信装置は、
前記混合音送信手段から送信される前記混合音声を受信する混合音受信手段と、
前記混合音受信手段により受信された前記混合音声を出力する受信装置側音出力部と、
前記受信装置側音出力部から出力される前記混合音声のうち、所定の音声を選択する混合音選択操作手段とを備えることを特徴とするテレビ放送視聴システム。
【請求項３】
映像を表示する表示部と音声を出力するテレビ側音出力部とを備えるテレビ受像機と、前記テレビ受像機と無線通信回線を介して接続される少なくとも一の音声受信装置とを備えるテレビ放送視聴システムにおいて、
前記テレビ受像機は、
前記テレビ側音出力部から出力される複数の音声が混在した混合音声のうち、何れか一の音声を送信可能な一音送信手段を備え、
前記音声受信装置は、
前記テレビ側音出力部から出力される前記混合音声のうち、所定の音声を選択する一音選択操作手段と、
前記一音選択操作手段により選択され、前記一音送信手段から送信された音声を受信する一音受信手段と、
前記一音受信手段により受信された音声を出力する受信装置側音出力部とを備えることを特徴とするテレビ放送視聴システム。
【請求項４】
前記混合音声は、音声多重放送により放送される主音声及び副音声を含むことを特徴とする請求項２又は３に記載のテレビ放送視聴システム。
【請求項５】
前記テレビ受像機は、
前記テレビ側音出力部からのみ音声を出力する第１の音声出力モードと、前記混合音送信手段からのみ音声を送信する第２の音声出力モードと、前記テレビ側音出力部からの音声の出力及び前記混合音送信手段からの音声の送信を行う第３の音声出力モードとを具備し、
前記第１の音声出力モード、前記第２の音声出力モード及び前記第３の音声出力モードの中で何れかの音声出力モードに切替えるモード切替手段を備えることを特徴とする請求項２〜４の何れか一項に記載のテレビ放送視聴システム。
【請求項６】
映像を表示する表示部と音声を出力するテレビ側音出力部とを備えるテレビ受像機と、前記テレビ受像機と無線通信回線を介して接続される少なくとも一の音声受信装置とを備えるテレビ放送視聴システムにおいて、
前記テレビ受像機は、
前記表示部に複数の映像を同時に表示させる映像表示制御手段と、
前記テレビ側音出力部から出力される複数の音声を送信可能な複数音送信手段とを備え、
前記音声受信装置は、
前記映像表示制御手段により表示される前記複数の映像の音声のうち、何れかの音声を選択する音選択操作手段と、
前記音選択操作手段により選択され、前記複数音送信手段から送信された音声を受信する音受信手段と、
前記音受信手段により受信された音声を出力する受信装置側音出力部とを備えることを特徴とするテレビ放送視聴システム。
【請求項７】
前記テレビ受像機は、
前記テレビ側音出力部からのみ音声を出力する第１の音声出力モードと、前記複数音送信手段からのみ音声を送信する第２の音声出力モードと、前記テレビ側音出力部からの音声の出力及び前記複数音送信手段からの音声の送信を行う第３の音声出力モードとを具備し、
前記第１の音声出力モード、前記第２の音声出力モード及び前記第３の音声出力モードの中で何れかの音声出力モードに切替えるモード切替手段を備えることを特徴とする請求項６に記載のテレビ放送視聴システム。
【発明の詳細な説明】
【技術分野】
【０００１】
本発明は、テレビ受像機から送信された音声をワイヤレスヘッドホン等の音声受信装置により受信して視聴するテレビ放送視聴システムに関する。
【背景技術】
【０００２】
近年、デジタルテレビの急速な普及に伴い、有料放送などの多彩なコンテンツの視聴が可能となり、ユーザにとってエンターテイメント性が向上してきている。
さらに、テレビの視聴スタイルも多様化してきており、ヘッドホンを用いることにより、周囲の環境に迷惑にならずに大きな音量での視聴や、周囲からの雑音の影響を受けずに視聴することができるようになっている。
【０００３】
また、ヘッドホンをテレビと有線接続すると、ケーブルの接続作業が煩わしく、ケーブルの長さにより視聴範囲が制限されるといった問題もある。
そこで、テレビから出力される音声信号を赤外線によりヘッドホンに送信することによって、ワイヤレス化を実現したワイヤレス音響伝送装置も開発されている（例えば、特許文献１参照）。
【特許文献１】特開平１１−３０８６８４号公報
【発明の開示】
【発明が解決しようとする課題】
【０００４】
ところで、映画等を複数人で視聴する場合に、視聴者によっては音声多重放送により放送される主音声及び副音声を切り替えて視聴することもある。しかしながら、スピーカからは何れかの音声のみが出力され、複数人で異なる音声を同時に視聴できなかった。
また、近年では、チューナを複数搭載したテレビが開発され、表示画面に複数の画面を表示可能となっている。しかしながら、テレビのスピーカやヘッドホン端子からは、所定のコンテンツに対応した音声のみが出力されるようになっているため、実際には、複数人で一つのコンテンツしか同時に視聴できなかった。
【０００５】
なお、特許文献１等のように、音声信号の送信機をテレビのヘッドホン端子等に後付けする構成の場合、機能の拡張性が低いといった問題もある。
【０００６】
そこで、本発明の課題は、テレビ受像機から送信される複数の音声のそれぞれを複数人で視聴することができるテレビ放送視聴システムを提供することである。
【課題を解決するための手段】
【０００７】
上記課題を解決するため、請求項１に記載の発明は、
映像を表示する表示部と音声を出力するテレビ側音出力部とを備えるテレビ受像機と、前記テレビ受像機と無線通信回線を介して接続される少なくとも一の音声受信装置とを備えるテレビ放送視聴システムにおいて、
前記テレビ受像機は、
前記テレビ側音出力部から出力される複数の音声が混在した混合音声を送信する混合音送信手段を備え、
前記音声受信装置は、
前記混合音送信手段から送信される前記混合音声を受信する混合音受信手段と、
前記混合音受信手段により受信された前記混合音声を出力する受信装置側音出力部と、
前記受信装置側音出力部から出力される前記混合音声のうち、所定の音声を選択する混合音選択操作手段とを備え、
前記混合音声は、音声多重放送により放送される主音声及び副音声を含み、
前記テレビ受像機は、さらに、
前記テレビ側音出力部からのみ音声を出力する第１の音声出力モードと、前記混合音送信手段からのみ音声を送信する第２の音声出力モードと、前記テレビ側音出力部からの音声の出力及び前記混合音送信手段からの音声の送信を行う第３の音声出力モードとを具備し、
前記第１の音声出力モード、前記第２の音声出力モード及び前記第３の音声出力モードの中で何れかの音声出力モードに切替えるモード切替手段を備えることを特徴としている。
【０００８】
請求項２に記載の発明は、
映像を表示する表示部と音声を出力するテレビ側音出力部とを備えるテレビ受像機と、前記テレビ受像機と無線通信回線を介して接続される少なくとも一の音声受信装置とを備えるテレビ放送視聴システムにおいて、
前記テレビ受像機は、
前記テレビ側音出力部から出力される複数の音声が混在した混合音声を送信する混合音送信手段を備え、
前記音声受信装置は、
前記混合音送信手段から送信される前記混合音声を受信する混合音受信手段と、
前記混合音受信手段により受信された前記混合音声を出力する受信装置側音出力部と、
前記受信装置側音出力部から出力される前記混合音声のうち、所定の音声を選択する混合音選択操作手段とを備えることを特徴としている。
【０００９】
請求項３に記載の発明は、
映像を表示する表示部と音声を出力するテレビ側音出力部とを備えるテレビ受像機と、前記テレビ受像機と無線通信回線を介して接続される少なくとも一の音声受信装置とを備えるテレビ放送視聴システムにおいて、
前記テレビ受像機は、
前記テレビ側音出力部から出力される複数の音声が混在した混合音声のうち、何れか一の音声を送信可能な一音送信手段を備え、
前記音声受信装置は、
前記テレビ側音出力部から出力される前記混合音声のうち、所定の音声を選択する一音選択操作手段と、
前記一音選択操作手段により選択され、前記一音送信手段から送信された音声を受信する一音受信手段と、
前記一音受信手段により受信された音声を出力する受信装置側音出力部とを備えることを特徴としている。
【００１０】
請求項４に記載の発明は、請求項２又は３に記載のテレビ放送視聴システムにおいて、
前記混合音声は、音声多重放送により放送される主音声及び副音声を含むことを特徴としている。
【００１１】
請求項５に記載の発明は、請求項２〜４の何れかに記載のテレビ放送視聴システムにおいて、
前記テレビ受像機は、
前記テレビ側音出力部からのみ音声を出力する第１の音声出力モードと、前記混合音送信手段からのみ音声を送信する第２の音声出力モードと、前記テレビ側音出力部からの音声の出力及び前記混合音送信手段からの音声の送信を行う第３の音声出力モードとを具備し、
前記第１の音声出力モード、前記第２の音声出力モード及び前記第３の音声出力モードの中で何れかの音声出力モードに切替えるモード切替手段を備えることを特徴としている。
【００１２】
請求項６に記載の発明は、
映像を表示する表示部と音声を出力するテレビ側音出力部とを備えるテレビ受像機と、前記テレビ受像機と無線通信回線を介して接続される少なくとも一の音声受信装置とを備えるテレビ放送視聴システムにおいて、
前記テレビ受像機は、
前記表示部に複数の映像を同時に表示させる映像表示制御手段と、
前記テレビ側音出力部から出力される複数の音声を送信可能な複数音送信手段とを備え、
前記音声受信装置は、
前記映像表示制御手段により表示される前記複数の映像の音声のうち、何れかの音声を選択する音選択操作手段と、
前記音選択操作手段により選択され、前記複数音送信手段から送信された音声を受信する音受信手段と、
前記音受信手段により受信された音声を出力する受信装置側音出力部とを備えることを特徴としている。
【００１３】
請求項７に記載の発明は、請求項６に記載のテレビ放送視聴システムにおいて、
前記テレビ受像機は、
前記テレビ側音出力部からのみ音声を出力する第１の音声出力モードと、前記複数音送信手段からのみ音声を送信する第２の音声出力モードと、前記テレビ側音出力部からの音声の出力及び前記複数音送信手段からの音声の送信を行う第３の音声出力モードとを具備し、
前記第１の音声出力モード、前記第２の音声出力モード及び前記第３の音声出力モードの中で何れかの音声出力モードに切替えるモード切替手段を備えることを特徴としている。
【発明の効果】
【００１４】
請求項１に記載の発明によれば、受信装置側音出力部から出力される混合音声のうち、所定の音声を選択することができるので、テレビ受像機のテレビ側音出力部から出力される音声と異なる音声を選択して聴くことができる。
即ち、音声多重放送により放送される主音声及び副音声のうちの何れか一の音声を選択することができる。
従って、複数のコンテンツを同時に視聴することができ、テレビ受像機から送信される複数の音声のそれぞれを複数人で視聴することができる。これにより、より魅力的なテレビ放送視聴システムを提供することができる。
また、音声出力モードをテレビ側音出力部からのみ音声を出力する第１の音声出力モードと、混合音送信手段からのみ音声を送信する第２の音声出力モードと、テレビ側音出力部からの音声の出力及び混合音送信手段からの音声の送信を行う第３の音声出力モードとを切替えて選択することができる。例えば第１の音声出力モードの選択により無線電波の送出による他の電子機器との干渉を防止することが可能となり、より魅力的なテレビ放送視聴システムを提供することができる。
【００１５】
請求項２に記載の発明によれば、受信装置側音出力部から出力される混合音声のうち、所定の音声を選択することができるので、テレビ受像機のテレビ側音出力部から出力される音声と異なる音声を選択して聴くことができる。従って、複数のコンテンツを同時に視聴することができ、テレビ受像機から送信される複数の音声のそれぞれを複数人で視聴することができる。
【００１６】
請求項３に記載の発明によれば、テレビ受像機はテレビ側音出力部から出力される混合音声のうち、所定の音声を選択して音声受信装置に送信することができるので、テレビ受像機のテレビ側音出力部から出力される音声と異なる音声を選択して聴くことができる。従って、複数のコンテンツを同時に視聴することができ、テレビ受像機から送信される複数の音声のそれぞれを複数人で視聴することができる。
【００１７】
請求項４に記載の発明によれば、請求項２又は３に記載の発明と同様の効果が得られるのは無論のこと、特に、音声多重放送により放送される主音声及び副音声のうちの何れか一の音声を選択することができ、より魅力的なテレビ放送視聴システムを提供することができる。
【００１８】
請求項５に記載の発明によれば、請求項２〜４の何れかに記載の発明と同様の効果が得られるのは無論のこと、特に、音声出力モードをテレビ側音出力部からのみ音声を出力する第１の音声出力モードと、混合音送信手段からのみ音声を送信する第２の音声出力モードと、テレビ側音出力部からの音声の出力及び混合音送信手段からの音声の送信を行う第３の音声出力モードとを切替えて選択することができる。例えば第１の音声出力モードの選択により無線電波の送出による他の電子機器との干渉を防止することが可能となり、より魅力的なテレビ放送視聴システムを提供することができる。
【００１９】
請求項６に記載の発明によれば、テレビ受像機の表示部に同時に表示される複数の映像の各々の音声を選択することができるので、テレビ側音出力部から出力される音声と異なる音声を選択して聴くことができる。従って、複数のコンテンツを同時に視聴することができ、テレビ受像機から送信される複数の音声のそれぞれを複数人で視聴することができる。
【００２０】
請求項７に記載の発明によれば、請求項６に記載の発明と同様の効果が得られるのは無論のこと、特に、音声出力モードをテレビ側音出力部からのみ音声を出力する第１の音声出力モードと、複数音送信手段からのみ音声を送信する第２の音声出力モードと、テレビ側音出力部からの音声の出力及び複数音送信手段からの音声の送信を行う第３の音声出力モードとを切替えて選択することができる。例えば第１の音声出力モードの選択により無線電波の送出による他の電子機器との干渉を防止することが可能となり、魅力的なテレビ放送視聴システムを提供することができる。
【発明を実施するための最良の形態】
【００２１】
以下に、本発明について、図面を用いて具体的な態様を説明する。ただし、発明の範囲は、図示例に限定されない。
【００２２】
［実施形態１］
図１は、本発明を適用した実施形態１のテレビ放送視聴システム１００の全体構成を模式的に示した図である。
図１に示すように、実施形態１のテレビ放送視聴システム１００は、サーバ装置としてのテレビ受像機１と、このテレビ受像機１と無線ネットワーク（無線通信回線）Ｎを介して接続され、所定の通信データを送受信するクライアント端末装置としてのヘッドホン２とを備えてクライアント・サーバシステムを構成している。
【００２３】
無線ネットワークＮは、例えば、無線ＬＡＮ（Local Area Network）などのネットワークである。
具体的には、無線ネットワークＮを介して、テレビ受像機１からヘッドホン２に音声などの通信データが送信される。
【００２４】
先ず、テレビ受像機１について図２を参照して説明する。
ここで、図２は、テレビ受像機１の要部構成を示すブロック図である。
【００２５】
テレビ受像機１は、例えば、地上波デジタル放送やＢＳデジタル放送に関するＴＶ放送信号を受信可能に構成され、当該ＴＶ放送信号に基づいて映像情報や音声情報を出力可能となっている。
具体的には、テレビ受像機１は、例えば、図２に示すように、チューナ１１と、復調部１２と、デコーダ１３と、映像表示部１４と、音声出力部１５と、エンコーダ１６と、無線通信部１７と、信号受信部１８と、制御部１９等を備える受像機本体１Ａと、この受像機本体１Ａを遠隔操作するリモートコントロール装置（以下、「リモコン」と言う。）１Ｂを備えて構成されている。
【００２６】
チューナ１１は、例えば、制御部１９から入力される制御信号に従って、ＴＶ放送信号受信用のアンテナ１１ａにより受信されたＴＶ放送信号（例えば、地上波デジタル放送やＢＳデジタル放送等に関するＴＶ放送信号）の中から、ユーザ所望の放送番組のチャンネルに対応する周波数帯域に存在するＴＶ放送信号を受信し、当該受信したＴＶ放送信号を変調して中間周波信号を復調部１２に出力する。
【００２７】
復調部１２は、例えば、制御部１９から入力される制御信号に従って、チューナ１１から出力された中間周波信号に対してデジタル復調や誤り訂正などの処理を施すとともに、スクランブル解除情報を用いてストリーム（例えば、トランスポートストリーム）に付加されたスクランブル信号を解除して、当該スクランブル信号が解除されたトランスポートストリームをデコーダ１３に出力する。
【００２８】
デコーダ１３は、例えば、制御部１９から入力される制御信号に従って、復調部１２から出力されたトランスポートストリームを解読し、当該トランスポートストリームを構成する各トランスポートパケットを判別して、ユーザ所望の放送番組に関連するトランスポートパケットにかかるデータをデジタル音声情報やデジタル映像情報等に分離する。そして、デコーダ１３は、例えば、当該デジタル音声情報をデコードして、音声情報を音声出力部１５に出力するとともに、当該デジタル映像情報をデコードして、映像情報を映像表示部１４に出力する。
【００２９】
また、デコーダ１３により分離されたデジタル音声情報は、例えば、無線通信部１７に出力される。
ここで、デジタル音声情報としては、例えば、二か国語放送等の音声多重放送により放送される主音声や副音声等から構成される複数の音声が混在した混合音声に係る情報等があげられる。
【００３０】
映像表示部（表示部）１４は、例えば、液晶表示パネル等であり、デコーダ１３から出力された映像情報に基づく映像を表示したり、或いは、デコーダ１３から出力されＯＳＤ回路（図示略）によりＯＳＤ（オンスクリーンディスプレイ）表示信号が合成された映像情報に基づく映像を表示する。
【００３１】
音声出力部（テレビ側音出力部）１５は、例えば、スピーカ機器等であり、デコーダ１３から出力された音声情報に基づく音声を出力する。
【００３２】
エンコーダ１６は、例えば、外部入力端子（図示略）を介してビデオレコーダ等の外部機器（図示略）から入力される音声情報をデジタル音声情報にエンコードする。
【００３３】
無線通信部１７は、例えば、無線ネットワークＮを介してヘッドホン２との間で通信データの送受信を行う。具体的には、無線通信部１７は、例えば、ヘッドホン２との間で無線信号の送受信をパケット通信により行うための無線通信用のアンテナ１７ａや、ＲＦ（Radio Frequency）変換器（図示省略）、無線ＬＡＮに接続するための無線ＬＡＮカード（図示省略）等を備えている。
【００３４】
より具体的には、無線通信部（音送信手段）１７は、少なくとも音声出力部１５から出力される音声と異なる他の音声を送信する。即ち、無線通信部１７は、例えば、音声出力部１５から音声多重放送における主音声が出力される場合、当該音声多重放送における副音声を送信するようになっている。具体的には、無線通信部１７は、例えば、デコーダ１３やエンコーダ１６から出力され入力された主音声及び副音声が混在した混合音声に係るデジタル音声情報などの通信データの送信を行う。
ここで、無線通信部１７は、複数の音声が混在した混合音声を送信する混合音送信手段を構成している。
【００３５】
また、無線通信部１７は、無線通信部２１から無線ネットワークＮを介して送信された操作信号を受信すると、当該操作信号をＣＰＵ１９１に出力する。
【００３６】
信号受信部１８は、例えば、受像機本体１Ａの外面から露出されるように配設され、リモコン１Ｂの信号送信部ｂ２から送信された操作信号（赤外線）を受信して、当該操作信号を制御部１９に出力する。
【００３７】
制御部１９は、例えば、ＣＰＵ（Central Processing Unit）１９１と、ＲＡＭ（Random Access Memory）１９２と、ＥＰＲＯＭ（Erasable Programmable Read Only Memory）１９３等を備えている。
【００３８】
ＣＰＵ１９１は、例えば、ＥＰＲＯＭ１９３に記憶されたテレビ受像機１用の各種処理プログラムに従って各種の制御動作を行う。
具体的には、ＣＰＵ１９１は、リモコン１Ｂの所定操作に基づいて送信され信号受信部１８を介して受信されたモード決定信号に従って当該テレビ受像機１の音声出力モードを設定する処理を行う。
ここで、音声出力モードとしては、例えば、当該テレビ受像機１の音声出力部１５からのみ混合音声を出力する第１の音声出力モードと、無線通信部１７からのみ混合音声を送信する第２の音声出力モードと、音声出力部１５からの混合音声の出力及び無線通信部１７からの混合音声の送信を行う第３の音声出力モードがあげられる。
【００３９】
また、ＣＰＵ１９１は、無線通信部１７から出力された操作信号が入力されると、ＥＰＲＯＭ１９３から所定の制御プログラムを読み出して、操作信号に従って受像機本体を制御する。具体的には、ＣＰＵ１９１は、チューナ１１を制御して放送チャンネルを切り替えたり、音声出力部１５を制御して所望の音声に切り替えたり音量をアップダウンさせる処理を実行する。
このように、ＣＰＵ１９１は、リモコン１Ｂからの操作信号を受信した場合と略同様の動作処理を実行するようになっている。
【００４０】
ＲＡＭ１９２は、例えば、ＣＰＵ１９１によって実行される処理プログラムなどを展開するためのプログラム格納領域や、入力データや上記処理プログラムが実行される際に生じる処理結果などを格納するデータ格納領域などを備える。
【００４１】
ＥＰＲＯＭ１９３は、例えば、テレビ受像機１で実行可能なシステムプログラム、当該システムプログラムで実行可能な各種処理プログラム、これら各種処理プログラムを実行する際に使用されるデータ、ＣＰＵ１９１によって演算処理された処理結果のデータなどを記憶する。
具体的には、ＥＰＲＯＭ１９３には、識別情報記憶制御プログラム１９３ｄ、仮ペアリングＩＤ３０が記憶されている。
【００４２】
識別情報記憶制御プログラム１９３ｄは、ＣＰＵ１９１をサーバ側識別情報記憶制御手段として機能させるものである。即ち、識別情報記憶制御プログラム１９３ｄは、識別情報記憶部１９３ｅ（後述）にヘッドホン２との通信により取得した正規ペアリングＩＤを記憶させる処理に係る機能をＣＰＵに実現させるためのプログラムである。
【００４３】
仮ペアリングＩＤ３０は、ヘッドホン２と共通に使用され、当該ヘッドホン２とのペアリング用に通信機能が制限された情報である。即ち、仮ペアリングＩＤ３０を用いて確立される無線接続にあっては、例えば、ペアリングＩＤの送信のみを行うことができるようになっている。
ここで、ＥＰＲＯＭ１９３は、仮ペアリングＩＤ３０を記憶するサーバ側仮情報記憶手段を構成している。
【００４４】
また、ＥＰＲＯＭ１９３は、識別情報記憶部１９３ｅ、ペアリング情報記憶部１９３ｆ等を備えている。
【００４５】
識別情報記憶部１９３ｅは、ＣＰＵ１９１によるテレビ受像機１とのペアリング動作に用いられる正規ペアリングＩＤを記憶するサーバ側識別情報記憶手段を構成している。
【００４６】
ペアリング情報記憶部１９３ｆには、例えば、テレビ受像機１とヘッドホン２を接続（ペアリング）するために必要なペアリング情報が記憶されている。
ここで、ペアリング情報は、例えば、通信データを暗号化・復号化するための暗号鍵等を含んでいる。
【００４７】
リモコン１Ｂは、例えば、操作部ｂ１と、信号送信部ｂ２等を備えている。
【００４８】
操作部ｂ１は、受像機本体の複数の機能のうち、何れかの機能を操作するためのものである。即ち、操作部ｂ１は、例えば、電源のＯＮ／ＯＦＦ操作、放送チャンネルの選択、音量のアップダウン操作等を行うものである。
【００４９】
また、操作部ｂ１は、例えば、当該テレビ受像機１の音声出力モードを第１の音声出力モード、第２の音声出力モード及び第３の音声出力モードの中で何れかに切替えるモード切替ボタン（図示略）を具備している。ここで、操作部ｂ１は、テレビ受像機１の音声出力モードを切替えるモード切替手段を構成している。
従って、音声出力モードを音声出力部１５からのみ音声を出力する第１の音声出力モードと、無線通信部１７からのみ音声を送信する第２の音声出力モードと、音声出力部１５からの音声の出力及び無線通信部１７からの音声の送信を行う第３の音声出力モードとを切替えて選択することができる。ここで、例えば、第１の音声出力モードを選択することにより、無線電波の送出による他の電子機器との干渉を防止することが可能となり、より魅力的なテレビ放送視聴システム１００を提供することができる。
【００５０】
信号送信部ｂ２は、例えば、操作部ｂ１の所定操作に応じた操作信号を、無線ネットワークＮと異なる通信方式である赤外線通信により送信するものである。
【００５１】
次に、ヘッドホン２について図３を参照して説明する。
ここで、図３は、ヘッドホン２の要部構成を示すブロック図である。
【００５２】
図３に示すように、ヘッドホン２は、ヘッドバンド２Ａと、このヘッドバンド２Ａの両端に形成された耳装着部２Ｂ等を備えている。また、ヘッドホン２は、例えば、無線通信部２１と、バッファ２２と、デコーダ２３と、音声出力部２４と、操作部２５と、制御部２６等を備えている。
【００５３】
無線通信部２１は、例えば、無線ネットワークＮを介してテレビ受像機１との間で通信データの送受信を行う。具体的には、無線通信部２１は、例えば、テレビ受像機１との間で無線信号の送受信をパケット通信により行うための無線通信用のアンテナ２１ａや、ＲＦ変換器（図示省略）、無線ＬＡＮに接続するための無線ＬＡＮカード（図示省略）等を備えている。
より具体的には、無線通信部（音受信手段）２１は、例えば、テレビ受像機１の無線通信部１７を介して送信された混合音声に係るデジタル音声情報などの通信データを受信する。ここで、無線通信部２１は、複数の音声が混在した混合音声を受信する混合音受信手段を構成している。
【００５４】
また、無線通信部２１は、正規識別情報送信手段として、仮の無線接続の完了後、ＣＰＵ２６１の制御下にて発行される正規ペアリングＩＤをテレビ受像機１に送信する。
【００５５】
また、無線通信部２１は、例えば、操作部２５の所定操作に基づいて出力される操作信号を、無線ネットワークＮのＡＣＫパケットの送信に利用される上りリンクを利用してテレビ受像機１に送信する。
【００５６】
バッファ２２は、例えば、テレビ受像機１から送信され、無線通信部２１により受信したデジタル音声情報などの通信データを一時的に記憶するものである。
【００５７】
デコーダ２３は、例えば、バッファ２２に記憶されたデジタル音声情報に対して当該デジタル音声情報のファイル形式に応じた処理を施し、当該デジタル音声情報を音声情報にデコードするものである。
【００５８】
音声出力部（受信装置側音出力部）２４は、例えば、耳装着部２Ｂに設けられたスピーカ機器等であり、デコーダ２３から出力された音声情報に基づいて混合音声を出力する。
【００５９】
操作部２５は、例えば、ヘッドバンド１Ａや耳装着部１Ｂの所定位置に配設されている。また、操作部２５は、所定の音声の選択操作、放送チャンネルの選択、音量のアップダウン操作等を行うものである。そして、操作部２５の所定操作に基づいて当該操作部２５から出力された操作信号は、無線通信部２１から無線ネットワークＮを介して受像機本体１Ａに送信される。
即ち、操作部２５及び無線通信部２１は、無線ネットワークＮを介して受像機本体１Ａを遠隔操作する操作手段を構成している。
【００６０】
また、操作部２５は、音声出力部２４から出力される混合音声のうち、所定の音声を選択する音声選択ボタンを備えている。ここで、操作部２５は、混合音選択操作手段を構成している。
【００６１】
制御部２６は、例えば、ＣＰＵ２６１と、ＲＡＭ２６２と、ＥＰＲＯＭ２６３等を備えている。
【００６２】
ＣＰＵ２６１は、例えば、ＥＰＲＯＭ２６３に記憶されたヘッドホン２用の各種処理プログラムに従って各種の制御動作を行う。
【００６３】
ＲＡＭ２６２は、例えば、ＣＰＵ２６１によって実行される処理プログラムなどを展開するためのプログラム格納領域や、入力データや上記処理プログラムが実行される際に生じる処理結果などを格納するデータ格納領域などを備える。
【００６４】
ＥＰＲＯＭ２６３は、例えば、ヘッドホン２で実行可能なシステムプログラム、当該システムプログラムで実行可能な各種処理プログラム、これら各種処理プログラムを実行する際に使用されるデータ、ＣＰＵ２６１によって演算処理された処理結果のデータなどを記憶する。
具体的には、ＥＰＲＯＭ２６３には、例えば、判定プログラム２６３ａ、仮無線接続実行プログラム２６３ｂ、正規無線接続実行プログラム２６３ｃ、識別情報記憶制御プログラム２６３ｄ等のプログラムと、仮ペアリングＩＤ（仮識別情報）３０等が記憶されている。
なお、プログラムは、コンピュータが読み取り可能なプログラムコードの形でＥＰＲＯＭ２６３に記憶されている。
【００６５】
判定プログラム２６３ａは、ＣＰＵ２６１をクライアント側判定手段として機能させるものである。即ち、判定プログラム２６３ａは、識別情報記憶部２６３ｅにテレビ受像機１との正規の無線接続に用いられる正規ペアリングＩＤが記憶されているか否かを判定する判定処理に係る機能をＣＰＵ２６１に実現させるためのプログラムである。具体的には、当該ヘッドホン２の電源が投入されると、ＣＰＵ２６１は、ＥＰＲＯＭ２６３から判定プログラム２６３ａを読み出して実行して正規ペアリングＩＤが記憶されているか否かを判定する。
【００６６】
仮無線接続実行プログラム２６３ｂは、ＣＰＵ２６１をクライアント側仮無線接続実行制御手段として機能させるものである。即ち、仮無線接続実行プログラム２６３ｂは、判定処理により正規ペアリングＩＤが記憶されていないと判定されると、仮ペアリングＩＤ３０を用いてペアリング動作を実行させて仮の無線接続を確立する処理に係る機能をＣＰＵ２６１に実現させるためのプログラムである。
具体的には、判定処理にて識別情報記憶部２６３ｅに正規ペアリングＩＤが記憶されていないと判定されると、ＣＰＵ２６１は、仮無線接続実行プログラム２６３ｂを実行して、仮ペアリングＩＤ３０を用いてテレビ受像機１とペアリングを確立するペアリング動作を実行させて、仮の無線接続を確立させる。
ここで、ＣＰＵ２６１は、テレビ受像機１とペアリングを確立するペアリング動作を行うペアリング実行手段を構成している。
【００６７】
正規無線接続実行プログラム２６３ｃは、ＣＰＵ２６１をクライアント側正規無線接続実行制御手段として機能させるものである。即ち、正規無線接続実行プログラム２６３ｃは、仮の無線接続の完了後、正規ペアリングＩＤ（正規識別情報）を用いてペアリング動作を実行させて正規の無線接続を確立する処理に係る機能をＣＰＵ２６１に実現させるためのプログラムである。
【００６８】
識別情報記憶制御プログラム２６３ｄは、ＣＰＵ２６１をクライアント側識別情報記憶制御手段として機能させるものである。即ち、識別情報記憶制御プログラム２６３ｄは、正規ペアリングＩＤの送信後、識別情報記憶部２６３ｅに正規ペアリングＩＤを記憶させる処理に係る機能をＣＰＵ２６１に実現させるためのプログラムである。
【００６９】
仮ペアリングＩＤ３０は、テレビ受像機１と共通に使用され、当該テレビ受像機１とのペアリング用に通信機能が制限された情報である。即ち、仮ペアリングＩＤ３０を用いて確立される無線接続にあっては、例えば、ペアリングＩＤの送信のみを行うことができるようになっている。
ここで、ＥＰＲＯＭ２６３は、仮ペアリングＩＤ３０を記憶するクライアント側仮情報記憶手段を構成している。
【００７０】
また、ＥＰＲＯＭ２６３は、識別情報記憶部２６３ｅ、ペアリング情報記憶部２６３ｆ等を備えている。
【００７１】
識別情報記憶部２６３ｅは、ＣＰＵ２６１によるテレビ受像機１とのペアリング動作に用いられる正規ペアリングＩＤを記憶するクライアント側識別情報記憶手段を構成している。
なお、正規ペアリングＩＤは、例えば、そのＩＤ値のサイズが数byte程度であり、所定値の正規ペアリングＩＤが識別情報記憶部２６３ｅに格納されていない場合、ペアリングが未実施となっている。
【００７２】
ペアリング情報記憶部２６３ｆには、例えば、テレビ受像機１とヘッドホン２をペアリングするために必要なペアリング情報が記憶されている。
【００７３】
次に、テレビ放送視聴システム１００によるペアリング処理について図４を参照して説明する。
ここで、図４は、ペアリング処理に係る動作の一例を示すフローチャートである。
なお、以下に説明するペアリング処理にあっては、クライアント端末装置であるヘッドホン２で行われるようになっている。
【００７４】
先ず、ヘッドホン２の電源が投入されると（ステップＳ１；ＹＥＳ）、ＣＰＵ２６１は、ＥＰＲＯＭ２６３から判定プログラム２６３ａを読み出して、識別情報記憶部２６３ｅに正規ペアリングＩＤが記憶されているか否かを判定する判定処理を実行する（ステップＳ２）。
ここで、正規ペアリングＩＤが記憶されていないと判定されると（ステップＳ２；ＮＯ）、ＣＰＵ２６１は、仮無線接続実行プログラム２６３ｂを読み出して、ＥＰＲＯＭ２６３に記憶されている仮ペアリングＩＤ３０を用いてペアリング動作を実行して仮の無線接続を確立する。具体的には、ＣＰＵ２６１は、仮ペアリングＩＤ３０を用いて所定の周波数でプローブ要求を送信し（ステップＳ３）、当該プローブ要求を受信したテレビ受像機１がプローブ応答を返答することにより（ステップＳ４）、仮の無線接続を確立する（ステップＳ５）。
【００７５】
続けて、ＣＰＵ２６１は、正規ペアリングＩＤを発行し、無線通信部２１を制御してテレビ受像機１に送信する（ステップＳ６）。
テレビ受像機１にあっては、無線通信部１７を介して正規ペアリングＩＤを受信すると、ＣＰＵ１９１は、ＥＰＲＯＭ１９３から識別情報記憶制御プログラム１９３ｄを読み出して実行し、識別情報記憶部１９３ｅに正規ペアリングＩＤを記憶させる（ステップＳ７）。
また、正規ペアリングＩＤの送信後、ヘッドホン２のＣＰＵ２６１は、ＥＰＲＯＭ２６３から識別情報記憶制御プログラム２６３ｄを読み出して実行し、識別情報記憶部２６３ｅに正規ペアリングＩＤを記憶させる（ステップＳ８）。
【００７６】
その後、正規の無線接続を確立する際には、ＣＰＵ２６１は、正規無線接続実行プログラム２６３ｃを読み出して、正規ペアリングＩＤを用いてペアリング動作を実行して正規の無線接続を確立する。具体的には、ＣＰＵ２６１は、正規ペアリングＩＤを用いてアソシエーション要求を送信し（ステップＳ９）、当該アソシエーション要求を受信したテレビ受像機１がアソシエーション応答を返答することにより（ステップＳ１０）、正規の無線接続を確立する（ステップＳ１１）。
【００７７】
以上のように、実施形態１のテレビ放送視聴システム１００によれば、ヘッドホン２の操作部ｂ１を用いることにより、音声出力部１５から出力される混合音声のうち、所定の音声を選択することができるので、テレビ受像機１の音声出力部１５から出力される音声と異なる音声を選択して聴くことができる。
即ち、音声多重放送により放送される主音声及び副音声のうちの何れか一の音声を選択することができる。
従って、複数のコンテンツを同時に視聴することができ、テレビ受像機１から送信される複数の音声のそれぞれを複数人で視聴することができる。これにより、より魅力的なテレビ放送視聴システム１００を提供することができる。
【００７８】
また、ヘッドホン２は、その電源投入時に、ＥＰＲＯＭ２６３に正規の無線接続に用いられる正規ペアリングＩＤが記憶されていない場合に、仮ペアリングＩＤ３０を用いて仮の無線接続を確立することができ、その後、正規ペアリングＩＤをテレビ受像機１に送信して当該正規ペアリングＩＤを用いて正規の無線接続を確立することができるので、ユーザによる各種の煩わしい作業を必要とせずにペアリングを簡便に行うことができる。
このとき、ヘッドホン２の電源投入時に正規識別情報が記憶されているか否かを判定するので、ペアリングの開始のための特定の操作を行う必要がなくなり、ペアリングをより簡便に行うことができる。
さらに、仮ペアリングＩＤ３０は、テレビ受像機１とのペアリング用に通信機能が制限されているため、ヘッドホン２の情報がテレビ受像機１以外の他のサーバに漏洩することを防止して、無線ネットワークＮのセキュリティ性を向上させることができる。
【００７９】
また、ヘッドホン２の操作部２５を用いることにより、テレビ受像機１の複数の機能のうち、リモコン１Ｂにより操作される機能とは異なる他の機能を無線ネットワークＮを介して遠隔操作することができ、リモコン１Ｂ単体では不可能なテレビ受像機１の複数の機能を同時に操作することができる。
即ち、音声多重放送により放送される主音声及び副音声のうち、音声出力部１５から出力される音声と異なる他の音声の内容及び音量を選択することができ、複数人で複数の音声を個別に聴くことができる。
従って、テレビ受像機１の複数の機能を有効に利用することができ、より魅力的なテレビ放送視聴システム１００を提供することができる。
【００８０】
なお、上記実施形態１では、テレビ受像機１の無線通信部１７から主音声及び副音声を含む混合音声を送信して、ヘッドホン２側の操作部２５により何れかの音声が選択されるような構成としたが、これに限られるものではなく、例えば、操作部２５の所定操作に基づいて選択された主音声及び副音声のうちの何れか一方の音声を無線通信部１７から送信するようにしても良い。
以下に、変形例１のテレビ放送視聴システムについて図９を参照して説明する。
【００８１】
＜変形例１＞
変形例１のテレビ放送視聴システムは、テレビ受像機４０１の音声出力部１５から出力される主音声及び副音声を含む混合音声のうち、ヘッドホン２の音声出力部２４から出力される音声を予め選択して、選択された一の音声を無線通信部４１７からヘッドホン２に送信するようになっている。
即ち、テレビ受像機４０１のデコーダ４１３は、主音声及び副音声からなる混合音声のうち、ヘッドホン２の操作部（一音選択操作手段）２５の操作により選択された何れか一方の音声に係るデジタル音声情報を無線通信部４１７に出力する。
無線通信部４１７は、一音送信手段として、デコーダ４１３から出力された主音声及び副音声のうちの何れか一方の音声に係るデジタル音声情報を送信する。
ヘッドホン２は、テレビ受像機４０１の無線通信部４１７から送信された音声を無線通信部（一音受信手段）２１により受信すると、当該音声を音声出力部２４から出力する。
【００８２】
以上のように、変形例１のテレビ放送視聴システムによれば、テレビ受像機４０１は音声出力部１５から出力される主音声及び副音声を含む混合音声のうち、所定の音声を選択してヘッドホン２に送信することができるので、テレビ受像機４０１の音声出力部１５から出力される音声と異なる音声を選択して聴くことができる。
従って、複数のコンテンツを同時に視聴することができ、テレビ受像機４０１から送信される複数の音声のそれぞれを複数人で視聴することができる。
【００８３】
［実施形態２］
以下に、実施形態２のテレビ放送視聴システム２００について図５及び図６を参照して説明する。
ここで、図５は、本発明を適用した実施形態２のテレビ放送視聴システム２００の全体構成を模式的に示した図である。また、図６は、テレビ受像機２０１の要部構成を示すブロック図である。
なお、実施形態２のテレビ放送視聴システム２００は、テレビ受像機２０１の構成以外の点では上記実施形態１と略同様であるので、同様の構成には同一の符号を付してその説明を省略する。
【００８４】
実施形態２のテレビ放送視聴システム２００は、例えば、図５に示すように、複数（例えば、２つ）のチューナを搭載したテレビ受像機２０１と、テレビ受像機１に表示される複数の映像の音声のうち、何れかの音声を選択して受信するヘッドホン２を備えて構成されている。
【００８５】
テレビ受像機１は、例えば、図６に示すように、第１のチューナ１１１と、第２のチューナ１１２と、第１の復調部１２１と、第２の復調部１２１と、第１のデコーダ１３１と、第２のデコータ１３２を備え、映像表示部１４に第１の画面Ｇ１と第２の画面Ｇ２を同時に表示することができるようになっている。
【００８６】
第１のチューナ１１１及び第２のチューナ１１２は、例えば、上記実施形態１のチューナ１１と略同様の構成となっており、第１のチューナ１１１は第１の復調部１２１に対して、第２のチューナ１１２は第２の復調部１２２に対してそれぞれ中間周波信号を出力する。
【００８７】
第１の復調部１２１及び第２の復調部１２１は、例えば、上記実施形態１の復調部１２を略同様の構成となっており、第１の復調部１２１は第１のデコーダ１３１に対して、第２の復調部１２１は第２のデコーダ１３２に対してそれぞれトランスポートストリームを出力する。
【００８８】
第１のデコーダ１３１及び第２のデコータ１３２は、例えば、上記実施形態１のデコーダ１３と略同様の構成となっており、第１のデコーダ１３１は第１の画面Ｇ１に表示される映像情報を、第２のデコータ１３２は第２の画面Ｇ２に表示される映像情報をそれぞれ映像表示部１４に出力する。また、第１のデコーダ１３１及び第２のデコーダ１３２は、それぞれの音声情報を音声出力部１５に出力する。
【００８９】
音声出力部１５は、例えば、第１のデコーダ１３１及び第２のデコーダ１３２から出力され入力された音声情報のうち、ヘッドホン２の操作部ｂ１の所定操作に基づいて選択された画面（例えば、第２の画面Ｇ２）と異なる画面（例えば、第１の画面Ｇ１）に係る音声を出力する。
【００９０】
ヘッドホン２の操作部２５は、受像機本体１Ａの複数の機能のうち、リモコン１Ｂにより操作される機能とは異なる他の機能を操作可能となっており、具体的には、受像機本体１Ａの無線通信部１７から送信される音声の内容の選択、即ち、第２の画面に表示される放送チャンネルの選択、音量のアップダウン操作等を行うものである。
ここで、操作部２５は、複数の映像の音声のうち、何れかの音声を選択する音選択操作手段を構成している。
【００９１】
以上のように、実施形態２のテレビ放送視聴システム２００によれば、ヘッドホン２の操作部２５を用いることにより、テレビ受像機２０１の映像表示部１４に同時に表示される複数の映像の各々の音声を選択することができるので、音声出力部１５から出力される音声と異なる音声を選択して聴くことができる。
従って、複数のコンテンツを同時に視聴することができ、テレビ受像機２０１から送信される複数の音声のそれぞれを複数人で視聴することができる。
【００９２】
また、テレビ受像機２０１の複数の機能のうち、リモコン１Ｂにより操作される機能とは異なる他の機能を無線ネットワークＮを介して遠隔操作することができ、リモコン１Ｂ単体では不可能なテレビ受像機２０１の複数の機能を同時に操作することができる。
即ち、映像表示部１４に同時に表示される複数の映像の各々の音声のうち、受像機本体１Ａの音声出力部１５から出力される音声と異なる他の音声の内容及び音量を選択することができ、複数人で複数の音声を個別に聴くことができる。
従って、テレビ受像機２０１の複数の機能を有効に利用することができ、より魅力的なテレビ放送視聴システム２００を提供することができる。
【００９３】
なお、上記実施形態では、第１のチューナ１１１及び第２のチューナ１１２で受信したＴＶ放送信号に係る音声情報を音声出力部１５及びヘッドホン２から出力するようにしたが、これに限られるものではなく、例えば、音声出力部１５及びヘッドホン２の何れか一方から、外部入力端子を介して入力される外部機器から出力される音声情報を出力するようにしても良い。
【００９４】
また、上記実施形態では、映像表示部１４に２つの映像を同時に表示するようにしたが、これに限られるものではなく、例えば、映像の数に応じてチューナ、復調部、デコーダを搭載して、３つ以上の映像を同時に表示するようにしても良い。
【００９５】
なお、本発明は、上記実施形態に限定されることなく、本発明の趣旨を逸脱しない範囲において、種々の改良並びに設計の変更を行っても良い。
例えば、テレビ受像機１のＥＰＲＯＭ１９３に正規ペアリングＩＤを記憶した後、ヘッドホン２のＥＰＲＯＭ２６３に正規ペアリングＩＤを記憶するようにしたが、正規ペアリングＩＤの記憶の順序は逆であっても良い。
【００９６】
また、上記実施形態では、ペアリング処理をヘッドホン２主導で行うようにしたが、これに限られるものではなく、例えば、サーバ装置であるテレビ受像機１主導で行うようにしても良い。
即ち、図７に示すように、変形例２のテレビ放送視聴システム３００を構成するテレビ受像機３０１は、例えば、判定プログラム１９３ａ、仮無線接続実行プログラム１９３ｂ、正規無線接続実行プログラム１９３ｃ等が記憶されたＥＰＲＯＭ１９３を備えている。
【００９７】
判定プログラム１９３ａは、ＣＰＵ１９１をサーバ側判定手段として機能させるものである。即ち、判定プログラム１９３ａは、識別情報記憶部１９３ｅにヘッドホン２との正規の無線接続に用いられる正規ペアリングＩＤが記憶されているか否かを判定する判定処理に係る機能をＣＰＵ１９１に実現させるためのプログラムである。具体的には、当該テレビ受像機３０１の電源が投入されると、ＣＰＵ１９１は、ＥＰＲＯＭ１９３から判定プログラム１９３ａを読み出して実行して正規ペアリングＩＤが記憶されているか否かを判定する。
【００９８】
仮無線接続実行プログラム１９３ｂは、ＣＰＵ１９１をサーバ側仮無線接続実行制御手段として機能させるものである。即ち、仮無線接続実行プログラム１９３ｂは、判定処理により正規ペアリングＩＤが記憶されていないと判定されると、仮ペアリングＩＤ３０を用いてペアリング動作を実行させて仮の無線接続を確立する処理に係る機能をＣＰＵ１９１に実現させるためのプログラムである。
具体的には、判定処理にて識別情報記憶部１９３ｅに正規ペアリングＩＤが記憶されていないと判定されると、ＣＰＵ１９１は、仮無線接続実行プログラム１９３ｂを実行して、仮ペアリングＩＤ３０を用いてヘッドホン２とペアリングを確立するペアリング動作を実行させて、仮の無線接続を確立させる。
ここで、ＣＰＵ１９１は、テレビ受像機３０１とペアリングを確立するペアリング動作を行うペアリング実行手段を構成している。
【００９９】
正規無線接続実行プログラム１９３ｃは、ＣＰＵ１９１をサーバ側正規無線接続実行制御手段として機能させるものである。即ち、正規無線接続実行プログラム１９３ｃは、仮の無線接続の完了後、正規ペアリングＩＤを用いてペアリング動作を実行させて正規の無線接続を確立する処理に係る機能をＣＰＵ１９１に実現させるためのプログラムである。
【０１００】
また、無線通信部１７は、正規識別情報送信手段として、仮の無線接続の完了後、ＣＰＵ１９１の制御下にて発行される正規ペアリングＩＤをヘッドホン２に送信する。
【０１０１】
以上のような構成であっても、テレビ受像機３０１は、その電源投入時に、ＥＰＲＯＭ１９３に正規の無線接続に用いられる正規ペアリングＩＤが記憶されていない場合に、仮ペアリングＩＤ３０を用いて仮の無線接続を確立することができ、その後、正規ペアリングＩＤを用いて正規の無線接続を確立することができるので、ユーザによる各種の煩わしい作業を必要とせずにペアリングを簡便に行うことができる。
このとき、テレビ受像機３０１の電源投入時に正規識別情報が記憶されているか否かを判定するので、ペアリングの開始のための特定の操作を行う必要がなくなり、ペアリングをより簡便に行うことができる。
【０１０２】
また、上記実施形態では、ヘッドホン２を１つ例示したが、ヘッドホン２の数はこれに限られるものではなく、少なくとも１つであれば良く、例えば、図８に示すように、２つ設けられていても良い。
この場合、サーバ装置であるテレビ受像機１（２０１、３０１）がヘッドホン２を特定してデータ送信する必要があるが、例えば、正規ペアリングＩＤの後に送り先のＩＤを付与したパケットデータを送信することにより、複数のヘッドホン２の中から所定のヘッドホン２を特定することができる。
なお、テレビ受像機１が２台目以降のヘッドホン２とペアリングする場合、テレビ受像機１の識別情報記憶部１９３ｅには、既に正規ペアリングＩＤが記憶されているため、仮ペアリングＩＤを用いて２台目以降のヘッドホン２と無線接続を確立できない場合が生じる。このため、テレビ受像機１及びヘッドホン２のそれぞれに、例えば、ペアリング開始ボタンを搭載して、当該ペアリング開始ボタンが押下された場合には、２台目以降のヘッドホン２とのペアリングであると判定して、当該ヘッドホン２とペアリングを実行するようにする必要がある。
【０１０３】
さらに、上記実施形態では、モード切替手段を操作部ｂ１としてリモコン１Ｂに設けるようにしたが、これに限られるものではなく、例えば、受像機本体１Ａに設けるようにしても良い。
【０１０４】
また、上記実施形態では、テレビ受像機１とヘッドホン２とを無線ＬＡＮにより接続するようにしたが、これに限られるものではなく、例えば、周波数ホッピング、直接拡散、赤外線、ＦＭ等であっても良い。
さらに、テレビ受像機１として、地上波デジタル放送やＢＳデジタル放送に関するＴＶ放送信号を受信可能に構成されたものを例示したが、これに限られるものではなく、例えば、アナログ放送を受信するものであっても良い。
また、テレビ受像機１の無線通信部１７から送信される音声情報は、デジタル音声情報に限られるものではない。
さらに、ヘッドホン２として、無線通信部２１を内蔵した構成のものを例示したが、これに限られるものではなく、例えば、無線通信部２１を搭載した受信アダプタをヘッドホン本体とは別体で設けるようにしても良い。
【０１０５】
加えて、テレビ受像機１、２０１、３０１及びヘッドホン２の構成や各部の形状等は、上記実施形態に例示したものは一例であり、これらに限られるものではない。
【図面の簡単な説明】
【０１０６】
【図１】本発明を適用した実施形態１のテレビ放送視聴システムの全体構成を模式的に示した図である。
【図２】図１のテレビ放送視聴システムを構成するテレビ受像機の要部構成を示すブロック図である。
【図３】図１のテレビ放送視聴システムを構成するヘッドホンの要部構成を示すブロック図である。
【図４】図１のテレビ放送視聴システムによるペアリング処理に係る動作の一例を示すフローチャートである。
【図５】本発明を適用した実施形態２のテレビ放送視聴システムの全体構成を模式的に示した図である。
【図６】図５のテレビ放送視聴システムを構成するテレビ受像機の要部構成を示すブロック図である。
【図７】変形例２のテレビ放送視聴システムを構成するテレビ受像機の要部構成を示すブロック図である。
【図８】変形例３のテレビ放送視聴システムの全体構成を模式的に示した図である。
【図９】変形例１のテレビ放送視聴システムを構成するテレビ受像機の要部構成を示すブロック図である。
【符号の説明】
【０１０７】
１００、２００、３００  テレビ放送視聴システム（クライアント・サーバシステム）
１、２０１、３０１  テレビ受像機（サーバ装置）
１Ａ      受像機本体
１４      映像表示部（表示部）
１５      音声出力部（テレビ側音出力部）
１７      無線通信部（音送信手段、サーバ側正規識別情報送信手段）
１９１    ＣＰＵ（サーバ側判定手段、サーバ側仮無線接続実行制御手段、サーバ側正規無線接続実行制御手段、サーバ側識別情報記憶制御手段）
１９３    ＥＰＲＯＭ（サーバ側仮情報記憶手段）
１９３ｅ  識別情報記憶部（サーバ側識別情報記憶手段）
１Ｂ      リモコン
ｂ１      操作部（モード切替手段）
２        ヘッドホン（クライアント端末装置）
２１      無線通信部（音受信手段、混合音受信手段、複数音送信手段、クライアント側正規識別情報送信手段）
２４      音声出力部（受信装置側音出力部）
２５      操作部（操作手段、混合音選択操作手段、音選択操作手段）
２６１    ＣＰＵ（クライアント側判定手段、クライアント側仮無線接続実行制御手段、クライアント側正規無線接続実行制御手段、クライアント側識別情報記憶制御手段）
２６３    ＥＰＲＯＭ（クライアント側仮情報記憶手段）
２６３ｅ  識別情報記憶部（クライアント側識別情報記憶手段）
Ｎ        無線ネットワーク
【図１】
2008167187.tif 000003
【図２】
2008167187.tif 000004
【図３】
2008167187.tif 000005
【図４】
2008167187.tif 000006
【図５】
2008167187.tif 000007
【図６】
2008167187.tif 000008
【図７】
2008167187.tif 000009
【図８】
2008167187.tif 000010
【図９】
2008167187.tif 000011